(57)【要約】  本開示の送信装置は、複数の動作モードのうちの１つを選択する制御部と、制御部により選択された動作モードに応じて負荷容量を設定する第１の容量設定部を有し、複数の信号フォーマットのうちの、選択された動作モードに応じた信号フォーマットを有する第１の信号を第１の出力端子に出力可能に構成された第１の送信部とを備える。
2017138303.tif 000002
【特許請求の範囲】
【請求項１】
複数の動作モードのうちの１つを選択する制御部と、
前記制御部により選択された動作モードに応じて負荷容量を設定する第１の容量設定部を有し、複数の信号フォーマットのうちの、前記選択された動作モードに応じた信号フォーマットを有する第１の信号を第１の出力端子に出力可能に構成された第１の送信部と
を備えた送信装置。
【請求項２】
前記複数の信号フォーマットは、第１の信号フォーマットおよび第２の信号フォーマットを含み、
前記第１の信号フォーマットは、第１の電圧、第２の電圧、および前記第１の電圧と前記第２の電圧との間の第３の電圧の間で遷移するものであり、
前記第２の信号フォーマットは、第４の電圧および第５の電圧の間で遷移するものである
請求項１に記載の送信装置。
【請求項３】
前記第１の容量設定部は、前記第１の信号が前記第２の信号フォーマットを有する場合における容量値を、前記第１の信号が前記第１の信号フォーマットを有する場合における容量値よりも大きい値に設定する
請求項２に記載の送信装置。
【請求項４】
前記選択された動作モードに応じて負荷容量を設定する第２の容量設定部を有し、前記複数の信号フォーマットのうちの、前記選択された動作モードに応じた信号フォーマットを有する第２の信号を第２の出力端子に出力可能に構成された第２の送信部と、
前記選択された動作モードに応じて負荷容量を設定する第３の容量設定部を有し、前記複数の信号フォーマットのうちの、前記選択された動作モードに応じた信号フォーマットを有する第３の信号を第３の出力端子に出力可能に構成された第３の送信部と
をさらに備えた
請求項２に記載の送信装置。
【請求項５】
前記複数の動作モードは、第１の動作モードおよび第２の動作モードを含み、
前記選択された動作モードが前記第１の動作モードである場合には、前記第１の信号、前記第２の信号、および前記第３の信号は、前記第１の信号フォーマットを有し、
前記第１の出力端子、前記第２の出力端子、および前記第３の出力端子の電圧は、互いに異なる電圧である
請求項４に記載の送信装置。
【請求項６】
前記選択された動作モードが前記第２の動作モードである場合には、前記第１の信号および前記第２の信号は、前記第２の信号フォーマットを有し、
前記第１の出力端子および前記第２の出力端子の電圧は、互いに異なる電圧である
請求項５に記載の送信装置。
【請求項７】
前記第１の送信部は、互いに並列接続され、それぞれが、第１の電源から前記第１の出力端子への経路上に設けられた第１の抵抗素子および第１のトランジスタとを含む、複数の第１の回路とを有する
請求項１に記載の送信装置。
【請求項８】
前記複数の第１の回路のそれぞれは、前記第１のトランジスタのゲートに接続された第２の抵抗素子をさらに含む
請求項７に記載の送信装置。
【請求項９】
前記第１の送信部は、互いに並列接続され、それぞれが、第２の電源から前記第１の出力端子への経路上に設けられた第３の抵抗素子および第２のトランジスタとを含む、複数の第２の回路をさらに有する
請求項７に記載の送信装置。
【請求項１０】
第４の信号を前記第１の出力端子に出力する第４の送信部をさらに備え、
前記制御部は、さらに、前記第１の送信部が前記第１の信号を出力している期間以外の期間のうちの少なくとも一部の期間において、前記第４の送信部が前記第４の信号を出力するように制御する
請求項１に記載の送信装置。
【請求項１１】
前記第１の容量設定部は、前記第１の出力端子から第３の電源への経路上に配置された容量素子およびスイッチを有する
請求項１０に記載の送信装置。
【請求項１２】
前記第１の容量設定部は、前記第４の送信部が前記第４の信号を出力している期間のうちの少なくとも一部の期間において、前記スイッチをオン状態にする
請求項１１に記載の送信装置。
【請求項１３】
複数の動作モードのうちの１つを選択する制御部と、
複数の信号フォーマットのうちの、前記制御部により選択された動作モードに応じた信号フォーマットを有する第１の信号を第１の出力端子に出力可能に構成された第１の送信部と
を備え、
前記第１の送信部は、互いに並列接続され、それぞれが、第１の電源から前記第１の出力端子への経路上に設けられた第１の抵抗素子および第１のトランジスタと、前記第１のトランジスタのゲートに接続された第２の抵抗素子とを含む、複数の第１の回路を有する
送信装置。
【請求項１４】
送信装置と、
受信装置と
を備え、
前記送信装置は、
複数の動作モードのうちの１つを選択する制御部と、
前記制御部により選択された動作モードに応じて負荷容量を設定する第１の容量設定部を有し、複数の信号フォーマットのうちの、前記選択された動作モードに応じた信号フォーマットを有する第１の信号を第１の出力端子に出力可能に構成された第１の送信部と
を有する
通信システム。
【発明の詳細な説明】
【技術分野】
【０００１】
本開示は、信号を送信する送信装置、そのような送信装置を備えた通信システムに関する。
【背景技術】
【０００２】
近年の電子機器の高機能化および多機能化に伴い、電子機器には、半導体チップ、センサ、表示デバイスなどの様々なデバイスが搭載される。これらのデバイス間では、多くのデータのやり取りが行われ、そのデータ量は、電子機器の高機能化および多機能化に応じて多くなってきている。そこで、しばしば、例えば数Ｇｂｐｓでデータを送受信可能な高速インタフェースを用いて、データのやりとりが行われる。【０００３】
より伝送容量を高める方法について、様々な技術が開示されている。例えば、特許文献１，２には、３本の伝送路を用いて３つの差動信号を伝送する通信システムが開示されている。
【先行技術文献】
【特許文献】
【０００４】
【特許文献１】特開平０６−２６１０９２号公報
【特許文献２】米国特許第８０６４５３５号明細書
【発明の概要】
【０００５】
ところで、電子機器には、しばしば、様々なベンダーから供給されたデバイスが搭載される。そのようなデバイスは、互いに異なるインタフェースを有することがある。よって、このようなデバイスとデータのやりとりを行うデバイスは、様々なインタフェースを実現することができることが望まれる。
【０００６】
様々なインタフェースを実現することができる送信装置および通信システムを提供することが望ましい。
【０００７】
本開示の一実施の形態における第１の送信装置は、制御部と、第１の送信部とを備えている。制御部は、複数の動作モードのうちの１つを選択するものである。第１の送信部は、制御部により選択された動作モードに応じて負荷容量を設定する第１の容量設定部を有し、複数の信号フォーマットのうちの、選択された動作モードに応じた信号フォーマットを有する第１の信号を第１の出力端子に出力可能に構成されたものである。
【０００８】
本開示の一実施の形態における第２の送信装置は、制御部と、第１の送信部とを備えている。制御部は、複数の動作モードのうちの１つを選択するものである。第１の送信部は、複数の信号フォーマットのうちの、制御部により選択された動作モードに応じた信号フォーマットを有する第１の信号を第１の出力端子に出力可能に構成されたものである。上記第１の送信部は、互いに並列接続され、それぞれが、第１の電源から第１の出力端子への経路上に設けられた第１の抵抗素子および第１のトランジスタと、第１のトランジスタのゲートに接続された第２の抵抗素子とを含む、複数の第１の回路を有するものである。
【０００９】
本開示の一実施の形態における通信システムは、送信装置と、受信装置とを備えている。送信装置は、制御部と、第１の送信部とを有している。制御部は、複数の動作モードのうちの１つを選択するものである。第１の送信部は、制御部により選択された動作モードに応じて負荷容量を設定する第１の容量設定部を有し、複数の信号フォーマットのうちの、選択された動作モードに応じた信号フォーマットを有する第１の信号を第１の出力端子に出力可能に構成されたものである。
【００１０】
本開示の一実施の形態における第１の送信装置および通信システムでは、複数の動作モードのうちの１つが選択され、その選択された動作モードに応じた信号フォーマットを有する第１の信号が、第１の出力端子に出力される。その際、選択された動作モードに応じて負荷容量が設定される。
【００１１】
本開示の一実施の形態における第２の送信装置では、複数の動作モードのうちの１つが選択され、第１の送信部により、その選択された動作モードに応じた信号フォーマットを有する第１の信号が、第１の出力端子に出力される。この第１の送信部には、複数の第１の回路が設けられている。各第１の回路には、第１の電源から第１の出力端子への経路上に第１の抵抗素子および第１のトランジスタが設けられるとともに、その第１のトランジスタのゲートには、第２の抵抗素子が接続されている。
【００１２】
本開示の一実施の形態における第１の送信装置および通信システムによれば、選択された動作モードに応じた信号フォーマットを有する第１の信号を出力するとともに、選択された動作モードに応じて負荷容量を設定するようにしたので、様々なインタフェースを実現することができる。
【００１３】
本開示の一実施の形態における第２の送信装置によれば、選択された動作モードに応じた信号フォーマットを有する第１の信号を出力するとともに、第１のトランジスタのゲートに接続された第２の抵抗素子を設けるようにしたので、様々なインタフェースを実現することができる。
【００１４】
なお、ここに記載された効果は必ずしも限定されるものではなく、本開示中に記載されたいずれの効果があってもよい。
【図面の簡単な説明】
【００１５】
【図１Ａ】本開示の一実施の形態に係る通信システムの一構成例を表すブロック図である。
【図１Ｂ】本開示の一実施の形態に係る他の通信システムの一構成例を表すブロック図である。
【図２】図１Ａに示した通信システムが送受信する信号の電圧を表す説明図である。
【図３】図１Ａ，１Ｂに示した送信装置が送信する信号の一例を表す説明図である。
【図４】第１の実施の形態に係る送信部の一構成例を表すブロック図である。
【図５】図１Ａに示した受信部の一構成例を表す回路図である。
【図６】図５に示した受信部における受信動作の一例を表す説明図である。
【図７】図１Ｂに示した受信部の一構成例を表す回路図である。
【図８】図４に示した容量設定部の一動作例を表すタイミング図である。
【図９】比較例に係る送信部の一構成例を表すブロック図である。
【図１０】第２の実施の形態に係る送信部の一構成例を表すブロック図である。
【図１１】第２の実施の形態に係る送信部の一動作例を表すアイダイアグラムである。
【図１２】比較例に係る送信部の一動作例を表すアイダイアグラムである。
【図１３】図１０に示したドライバ部の一動作例を表す説明図である。
【図１４】第２の実施の形態に係る送信部の一動作例を表す特性図である。
【図１５】変形例に係る送信部の一構成例を表すブロック図である。
【図１６】一実施の形態に係る通信システムが適用されたスマートフォンの外観構成を表す斜視図である。
【図１７】一実施の形態に係る通信システムが適用されたアプリケーションプロセッサの一構成例を表すブロック図である。
【図１８】一実施の形態に係る通信システムが適用されたイメージセンサの一構成例を表すブロック図である。
【図１９】一実施の形態に係る通信システムが適用された車両制御システムの一構成例を表すブロック図である。
【発明を実施するための形態】
【００１６】
以下、本開示の実施の形態について、図面を参照して詳細に説明する。なお、説明は以下の順序で行う。
１．第１の実施の形態
２．第２の実施の形態
３．適用例
【００１７】
＜１．第１の実施の形態＞
［構成例］
図１Ａ，１Ｂは、第１の実施の形態に係る送信装置（送信装置１０）が適用された通信システムの一構成例を表すものであり、図１Ａは通信システム１Ａを示し、図１Ｂは通信システム１Ｂを示す。
【００１８】
通信システム１Ａは、送信装置１０と、受信装置３０とを備えている。通信システム１Ａは、３本の線路１１０Ａ〜１１０Ｃを用いて、送信装置１０から受信装置３０に対して信号を送信するものである。通信システム１Ｂは、送信装置１０と、受信装置４０とを備えている。通信システム１Ｂは、２本の線路１２０Ａ，１２０Ｂを用いて、送信装置１０から受信装置４０に対して信号を送信するものである。送信装置１０は、４つの動作モードＭＡ１，ＭＡ２，ＭＢ１，ＭＢ２を有している。送信装置１０は、通信システム１Ａに適用される場合には、動作モードＭＡ１または動作モードＭＡ２で動作し、通信システム１Ｂに適用される場合には、動作モードＭＢ１または動作モードＭＢ２で動作するようになっている。
【００１９】
（通信システム１Ａ）
図１Ａに示したように、送信装置１０は、３つの出力端子ＴoutＡ，ＴoutＢ，ＴoutＣを有し、受信装置３０は、３つの入力端子ＴinＡ，ＴinＢ，ＴinＣを有している。そして、送信装置１０の出力端子ＴoutＡおよび受信装置３０の入力端子ＴinＡは、線路１１０Ａを介して互いに接続され、送信装置１０の出力端子ＴoutＢおよび受信装置３０の入力端子ＴinＢは、線路１１０Ｂを介して互いに接続され、送信装置１０の出力端子ＴoutＣおよび受信装置３０の入力端子ＴinＣは、線路１１０Ｃを介して互いに接続されている。線路１１０Ａ〜１１０Ｃの特性インピーダンスは、この例では約５０［Ω］である。送信装置１０は、このような通信システム１Ａに適用される場合には、動作モードＭＡ１または動作モードＭＡ２で動作する。
【００２０】
動作モードＭＡ１では、送信装置１０は、２つの電圧レベルを有する信号を用いて、例えば１０［Ｍｂｐｓ］のビットレートで、制御データ等を含むデータ信号を送信する。具体的には、送信装置１０は、動作モードＭＡ１では、出力端子ＴoutＡ，ＴoutＢ，ＴoutＣからシングルエンド信号をそれぞれ出力する。そして、受信装置３０は、入力端子ＴinＡ，ＴinＢ，ＴinＣを介して、これらのシングルエンド信号を受信する。
【００２１】
また、動作モードＭＡ２では、送信装置１０は、３つの電圧レベルを有する信号を用いて、例えば２．５［Ｇｓｐｓ］のシンボルレートで、例えば撮像データ等を含むデータ信号を送信する。具体的には、送信装置１０は、動作モードＭＡ２では、出力端子ＴoutＡから信号ＳＩＧＡを出力し、出力端子ＴoutＢから信号ＳＩＧＢを出力し、出力端子ＴoutＣから信号ＳＩＧＣを出力する。そして、受信装置３０は、入力端子ＴinＡを介して信号ＳＩＧＡを受信し、入力端子ＴinＢを介して信号ＳＩＧＢを受信し、入力端子ＴinＣを介して信号ＳＩＧＣを受信する。信号ＳＩＧＡ，ＳＩＧＢ，ＳＩＧＣは、それぞれ３つの電圧レベル（高レベル電圧ＶＨ、中レベル電圧ＶＭ、および低レベル電圧ＶＬ）の間で遷移するものである。
【００２２】
図２は、信号ＳＩＧＡ，ＳＩＧＢ，ＳＩＧＣの電圧を表すものである。送信装置１０は、３つの信号ＳＩＧＡ，ＳＩＧＢ，ＳＩＧＣを用いて、６つのシンボル“＋ｘ”，“−ｘ”，“＋ｙ”，“−ｙ”，“＋ｚ”，“−ｚ”を送信する。例えば、シンボル“＋ｘ”を送信する場合には、送信装置１０は、信号ＳＩＧＡを高レベル電圧ＶＨにし、信号ＳＩＧＢを低レベル電圧ＶＬにし、信号ＳＩＧＣを中レベル電圧ＶＭにする。シンボル“−ｘ”を送信する場合には、送信装置１０は、信号ＳＩＧＡを低レベル電圧ＶＬにし、信号ＳＩＧＢを高レベル電圧ＶＨにし、信号ＳＩＧＣを中レベル電圧ＶＭにする。シンボル“＋ｙ”を送信する場合には、送信装置１０は、信号ＳＩＧＡを中レベル電圧ＶＭにし、信号ＳＩＧＢを高レベル電圧ＶＨにし、信号ＳＩＧＣを低レベル電圧ＶＬにする。シンボル“−ｙ”を送信する場合には、送信装置１０は、信号ＳＩＧＡを中レベル電圧ＶＭにし、信号ＳＩＧＢを低レベル電圧ＶＬにし、信号ＳＩＧＣを高レベル電圧ＶＨにする。シンボル“＋ｚ”を送信する場合には、送信装置１０は、信号ＳＩＧＡを低レベル電圧ＶＬにし、信号ＳＩＧＢを中レベル電圧ＶＭにし、信号ＳＩＧＣを高レベル電圧ＶＨにする。シンボル“−ｚ”を送信する場合には、送信装置１０は、信号ＳＩＧＡを高レベル電圧ＶＨにし、信号ＳＩＧＢを中レベル電圧ＶＭにし、信号ＳＩＧＣを低レベル電圧ＶＬにするようになっている。
【００２３】
送信装置１０は、動作モードＭＡ２で動作する場合には、このような３相信号（信号ＳＩＧＡ，ＳＩＧＢ，ＳＩＧＣ）を用いてデータ信号を送信するようになっている。
【００２４】
図３は、送信装置１０から送信される信号の一例を表すものである。この例では、送信装置１０は、タイミングｔ１までの期間において、動作モードＭＡ１で動作する。これにより、送信装置１０は、シングルエンド信号を送信する。そして、送信装置１０は、タイミングｔ１〜ｔ２までの期間において、動作モードＭＡ２で動作する。これにより、送信装置１０は、信号ＳＩＧＡ，ＳＩＧＢ，ＳＩＧＣを送信する。そして、送信装置１０は、タイミングｔ２以降の期間において、動作モードＭＡ１で動作する。これにより、送信装置１０は、シングルエンド信号を送信する。このように、送信装置１０は、動作モードＭＡ１または動作モードＭＡ２で選択的に動作するようになっている。
【００２５】
（通信システム１Ｂ）
図１Ｂに示したように、送信装置１０は、２つの出力端子ＴoutＡ，ＴoutＢを有し、受信装置４０は、２つの入力端子ＴinＡ，ＴinＢを有している。そして、送信装置１０の出力端子ＴoutＡおよび受信装置３０の入力端子ＴinＡは、線路１２０Ａを介して互いに接続され、送信装置１０の出力端子ＴoutＢおよび受信装置３０の入力端子ＴinＢは、線路１２０Ｂを介して互いに接続されている。線路１２０Ａ，１２０Ｂの特性インピーダンスは、この例では約５０［Ω］である。送信装置１０は、このような通信システム１Ｂに適用される場合には、動作モードＭＢ１または動作モードＭＢ２で動作する。
【００２６】
動作モードＭＢ１では、送信装置１０は、動作モードＭＡ１と同様に、２つの電圧レベルを有する信号を用いて、例えば１０［Ｍｂｐｓ］のビットレートで、制御データ等を含むデータ信号を送信する。具体的には、送信装置１０は、動作モードＭＢ１では、出力端子ＴoutＡ，ＴoutＢからシングルエンド信号をそれぞれ出力する。そして、受信装置４０は、入力端子ＴinＡ，ＴinＢを介して、これらのシングルエンド信号を受信する。
【００２７】
また、動作モードＭＢ２では、送信装置１０は、２つの電圧レベルを有する信号を用いて、例えば２．５［Ｇｂｐｓ］のビットレートで、例えば撮像データ等を含むデータ信号を送信する。具体的には、送信装置１０は、動作モードＭＡ２では、出力端子ＴoutＡから信号ＳＩＧＰを出力し、出力端子ＴoutＢから信号ＳＩＧＮを出力する。信号ＳＩＧＰ，ＳＩＧＮは、差動信号を構成するものである。そして、受信装置４０は、入力端子ＴinＡを介して信号ＳＩＧＰを受信し、入力端子ＴinＢを介して信号ＳＩＧＮを受信する。
【００２８】
送信装置１０は、通信システム１Ｂでは、通信システム１Ａの場合（図３）と同様に、動作モードＭＢ１または動作モードＭＢ２で選択的に動作するようになっている。
【００２９】
（送信装置１０）
送信装置１０は、制御部１１と、処理部１２と、レギュレータ１３と、送信部１４Ａ，１４Ｂ，１４Ｃと、送信部１５Ａ，１５Ｂ，１５Ｃとを有している。
【００３０】
制御部１１は、送信装置１０における動作を制御するものである。また、制御部１１は、４つの動作モードＭＡ１，ＭＡ２，ＭＢ１，ＭＢ２のうちの１つを選択し、送信装置１０が選択された動作モードで動作するように制御する。具体的には、制御部１１は、送信装置１０が通信システム１Ａ（図１Ａ）に適用される場合には、動作モードＭＡ１および動作モードＭＡ２のうちの一方を選択し、送信装置１０が通信システム１Ｂ（図１Ｂ）に適用される場合には、動作モードＭＢ１および動作モードＭＢ２のうちの一方を選択するようになっている。
【００３１】
処理部１２は、制御部１１から供給された制御信号に基づいて、動作モードに応じた処理を行い、送信部１４Ａ，１４Ｂ，１４Ｃ，１５Ａ，１５Ｂ，１５Ｃに対して信号を供給するものである。
【００３２】
例えば、送信装置１０が通信システム１Ａに適用された場合には、処理部１２は、動作モードＭＡ１，ＭＡ２のうちの選択された動作モードに応じて、所定の処理を行い、送信部１４Ａ，１４Ｂ，１４Ｃ，１５Ａ，１５Ｂ，１５Ｃに対して信号を供給する。具体的には、処理部１２は、送信装置１０が動作モードＭＡ１（シングルエンド信号伝送モード）で動作する場合には、送信部１４Ａ，１４Ｂ，１４Ｃに対して信号をそれぞれ供給する。また、処理部１２は、送信装置１０が動作モードＭＡ２（３相信号伝送モード）で動作する場合には、送信部１５Ａに対して信号ＰＵＡ，ＰＤＡを供給し、送信部１５Ｂに対して信号ＰＵＢ，ＰＤＢを供給し、送信部１５Ｃに対して信号ＰＵＣ，ＰＤＣを供給するようになっている。
【００３３】
また、例えば、送信装置１０が通信システム１Ｂに適用された場合には、処理部１２は、動作モードＭＢ１，ＭＢ２のうちの選択された動作モードに応じて、所定の処理を行い、送信部１４Ａ，１４Ｂ、１５Ａ，１５Ｂに対して信号を供給する。具体的には、処理部１２は、送信装置１０が動作モードＭＢ１（シングルエンド信号伝送モード）で動作する場合には、送信部１４Ａ，１４Ｂに対して信号をそれぞれ供給する。また、処理部１２は、送信装置１０が動作モードＭＢ２（差動信号伝送モード）で動作する場合には、送信部１５Ａに対して信号ＰＵＡ，ＰＤＡを供給し、送信部１５Ｂに対して信号ＰＵＢ，ＰＤＢを供給するようになっている。
【００３４】
レギュレータ１３は、制御部１１から供給された制御信号に基づいて、電圧Ｖregを生成するものである。具体的には、レギュレータ１３は、送信装置１０が動作モードＭＡ１または動作モードＭＡ２で動作する場合には電圧ＶregＡを生成し、送信装置１０が動作モードＭＢ１または動作モードＭＢ２で動作する場合には電圧ＶregＢを生成する。例えば、電圧ＶregＡは、電圧ＶregＢよりも高い電圧にすることができる。そして、レギュレータ１３は、生成した電圧Ｖreg（電圧ＶregＡまたは電圧ＶregＢ）を送信部１５Ａ，１５Ｂ，１５Ｃに供給するようになっている。
【００３５】
送信部１４Ａは、動作モードＭＡ１，ＭＢ１において、処理部１２から供給された信号に基づいてシングルエンド信号を生成し、出力端子ＴoutＡを介して送信するものである。また、送信部１４Ａは、動作モードＭＡ２，ＭＢ２において、出力インピーダンスをハイインピーダンスにする機能をも有している。
【００３６】
送信部１４Ｂは、動作モードＭＡ１，ＭＢ１において、処理部１２から供給された信号に基づいてシングルエンド信号を生成し、出力端子ＴoutＢを介して送信するものである。また、送信部１４Ｂは、動作モードＭＡ２，ＭＢ２において、出力インピーダンスをハイインピーダンスにする機能をも有している。
【００３７】
送信部１４Ｃは、動作モードＭＡ１において、処理部１２から供給された信号に基づいてシングルエンド信号を生成し、出力端子ＴoutＣを介して送信するものである。また、送信部１４Ｃは、動作モードＭＡ２において、出力インピーダンスをハイインピーダンスにするとともに、動作モードＭＢ１，ＭＢ２において、動作を停止する機能をも有している。
【００３８】
送信部１５Ａは、動作モードＭＡ２において、処理部１２から供給された信号ＰＵＡ，ＰＤＡに基づいて信号ＳＩＧＡを生成し、出力端子ＴoutＡを介して送信するとともに、動作モードＭＢ２において、処理部１２から供給された信号ＰＵＡ，ＰＤＡに基づいて信号ＳＩＧＰを生成し、出力端子ＴoutＡを介して送信するものである。
【００３９】
送信部１５Ｂは、動作モードＭＡ２において、処理部１２から供給された信号ＰＵＢ，ＰＤＢに基づいて信号ＳＩＧＢを生成し、出力端子ＴoutＢを介して送信するとともに、動作モードＭＢ２において、処理部１２から供給された信号ＰＵＡ，ＰＤＡに基づいて信号ＳＩＧＮを生成し、出力端子ＴoutＢを介して送信するものである。
【００４０】
送信部１５Ｃは、動作モードＭＡ２において、処理部１２から供給された信号ＰＵＢ，ＰＤＢに基づいて信号ＳＩＧＢを生成し、出力端子ＴoutＢを介して送信するものである。また、送信部１５Ｃは、動作モードＭＢ１，ＭＢ２において、動作を停止する機能をも有している。
【００４１】
図４は、送信部１５Ａの一構成例を表すものである。なお、送信部１５Ｂ，１５Ｃについても同様である。この図４には、送信部１５Ａに加え、制御部１１および処理部１２を描いている。送信部１５Ａは、インピーダンス制御部２１と、プリドライバ部２２Ｕ，２２Ｄと、ドライバ部２３と、容量設定部２４とを有している。
【００４２】
インピーダンス制御部２１は、信号ＰＵＡ，ＰＤＡおよび制御部１１から供給された制御信号に基づいて、信号ＰＵＵ１〜ＰＵＵ２４、ＰＤＤ１〜ＰＤＤ２４を生成するものである。
【００４３】
プリドライバ部２２Ｕは、信号ＰＵＵ１〜ＰＵＵ２４に基づいて信号ＰＵ１〜ＰＵ２４を生成し、この信号ＰＵ１〜ＰＵ２４を用いてドライバ部２３のトランジスタ９２（後述）を駆動するものである。プリドライバ部２２Ｄは、信号ＰＤＤ１〜ＰＤＤ２４に基づいて信号ＰＤ１〜ＰＤ２４を生成し、この信号ＰＤ１〜ＰＤ２４を用いてドライバ部２３のトランジスタ９４（後述）を駆動するものである。
【００４４】
ドライバ部２３は、信号ＰＵ１〜ＰＵ２４、ＰＤ１〜ＰＤ２４に基づいて、信号ＳＩＧＡを生成するものである。ドライバ部２３は、この例では２４個のドライバＤＶＡ１〜ＤＶＡ２４を有している。ドライバＤＶＡ１は、信号ＰＵ１，ＰＤ１に基づいて動作するものであり、ドライバＤＶＡ２は、信号ＰＵ２，ＰＤ２に基づいて動作するものである。ドライバＤＶＡ３〜ＤＶＡ２３についても同様である。ドライバＤＶＡ２４は、信号ＰＵ２４，ＰＤ２４に基づいて動作するものである。ドライバＤＶＡ１〜ＤＶＡ２４の出力端子は、互いに接続されるとともに、出力端子ＴoutＡに接続されている。なお、この例では、２４個のドライバＤＶＡ１〜ＤＶＡ２４を設けたが、これに限定されるものではなく、これに代えて、２３個以下または２５個以上のドライバを設けてもよい。
【００４５】
次に、ドライバＤＶＡ１〜ＤＶＡ２４の構成について、ドライバＤＶＡ１を例に説明する。ドライバＤＶＡ１は、トランジスタ９２，９４と、抵抗素子９１，９３とを有している。トランジスタ９２，９４は、この例では、ＮチャネルＭＯＳ（Metal Oxide Semiconductor）型のＦＥＴ（Field Effect Transistor）である。トランジスタ９２のゲートには信号ＰＵ１が供給され、ドレインは抵抗素子９１の他端に接続され、ソースは抵抗素子９３の一端に接続されるとともに、抵抗素子２５を介して出力端子ＴoutＡに接続されている。トランジスタ９４のゲートには信号ＰＤ１が供給され、ドレインは抵抗素子９３の他端に接続され、ソースは接地されている。抵抗素子９１の一端には、電圧Ｖregが供給され、他端はトランジスタ９２のドレインに接続されている。抵抗素子９３の一端は、トランジスタ９２のソースに接続されるとともに、抵抗素子２５を介して出力端子ＴoutＡに接続され、他端はトランジスタ９４のドレインに接続されている。この例では、抵抗素子９１の抵抗値とトランジスタ９２のオン状態における抵抗値との和は、１０００［Ω］程度であり、同様に、抵抗素子９３の抵抗値とトランジスタ９４のオン状態における抵抗値との和は、１０００［Ω］程度である。
【００４６】
この構成により、例えば、送信装置１０が通信システム１Ａに適用された場合には、送信部１５Ａは、動作モードＭＡ２（３相信号伝送モード）において、例えば、信号ＰＵＡ，ＰＤＡに基づいて、信号ＳＩＧＡの電圧を、３つの電圧（高レベル電圧ＶＨ、中レベル電圧ＶＭ、低レベル電圧ＶＬ）のうちの１つに設定する。具体的には、例えば、信号ＳＩＧＡの電圧を高レベル電圧ＶＨに設定する場合には、処理部１２は、信号ＰＵＡを“１”にするとともに信号ＰＤＡを“０”にする。これにより、送信部１５Ａのインピーダンス制御部２１は、信号ＰＵＵ１〜ＰＵＵ２４のうちの２０個を“１”にし、信号ＰＵＵ１〜ＰＵＵ２４のうちの残りの４つおよび信号ＰＤＤ１〜ＰＤＤ２４を“０”にする。このとき、ドライバ部２３では、２４個のトランジスタ９２のうちの２０個がオン状態になる。その結果、信号ＳＩＧＡが高レベル電圧ＶＨになるとともに、ドライバ部２３の出力終端抵抗（出力インピーダンス）が約５０［Ω］（＝１０００／２０）になる。また、信号ＳＩＧＡの電圧を低レベル電圧ＶＬに設定する場合には、処理部１２は、信号ＰＤＡを“１”にするとともに信号ＰＵＡを“０”にする。これにより、インピーダンス制御部２１は、信号ＰＤＤ１〜ＰＤＤ２４のうちの２０個を“１”にし、信号ＰＤＤ１〜ＰＤＤ２４のうちの残りの４つおよび信号ＰＵＵ１〜ＰＵＵ２４を“０”にする。このとき、ドライバ部２３では、２４個のトランジスタ９４のうちの２０個がオン状態になる。その結果、信号ＳＩＧＡが低レベル電圧ＶＬになるとともに、ドライバ部２３の出力終端抵抗（出力インピーダンス）が約５０［Ω］になる。また、信号ＳＩＧＡの電圧を中レベル電圧ＶＭに設定する場合には、処理部１２は、信号ＰＵＡ，ＰＤＡをともに“１”にする。これにより、インピーダンス制御部２１は、信号ＰＵＵ１〜ＰＵＵ２４のうちの１０個、および信号ＰＤＤ１〜ＰＤＤ２４のうちの１０個を“１”にし、信号ＰＵＵ１〜ＰＵＵ２４のうちの残りの１４個、および信号ＰＤＤ１〜ＰＤＤ２４のうちの残りの１４個を“０”にする。このとき、ドライバ部２３では、２４個のトランジスタ９２のうちの１０個がオン状態になるとともに、２４個のトランジスタ９４のうちの１０個がオン状態になる。その結果、信号ＳＩＧＡは中レベル電圧ＶＭになるとともに、ドライバ部２３の出力終端抵抗（出力インピーダンス）が約５０［Ω］になる。
【００４７】
なお、動作モードＭＡ１（シングルエンド信号伝送モード）では、処理部１２は、信号ＰＵＡ，ＰＤＡをともに“０”にする。その結果、ドライバ部２３では、出力インピーダンスをハイインピーダンスにすることができるようになっている。
【００４８】
また、例えば、送信装置１０が通信システム１Ｂに適用された場合には、送信部１５Ａは、動作モードＭＢ２（差動信号伝送モード）において、例えば、信号ＰＵＡ，ＰＤＡに基づいて、信号ＳＩＧＰの電圧を、高レベル電圧または低レベル電圧に設定する。具体的には、例えば、信号ＳＩＧＰの電圧を高レベル電圧に設定する場合には、処理部１２は、信号ＰＵＡを“１”にするとともに信号ＰＤＡを“０”にする。これにより、送信部１５Ａのインピーダンス制御部２１は、信号ＰＵＵ１〜ＰＵＵ２４のうちの２０個を“１”にし、信号ＰＵＵ１〜ＰＵＵ２４のうちの残りの４つおよび信号ＰＤＤ１〜ＰＤＤ２４を“０”にする。その結果、信号ＳＩＧＰが高レベル電圧になるとともに、ドライバ部２３の出力終端抵抗（出力インピーダンス）が約５０［Ω］（＝１０００／２０）になる。また、信号ＳＩＧＰの電圧を低レベル電圧に設定する場合には、処理部１２は、信号ＰＤＡを“１”にするとともに信号ＰＵＡを“０”にする。これにより、インピーダンス制御部２１は、信号ＰＤＤ１〜ＰＤＤ２４のうちの２０個を“１”にし、信号ＰＤＤ１〜ＰＤＤ２４のうちの残りの４つおよび信号ＰＵＵ１〜ＰＵＵ２４を“０”にする。その結果、信号ＳＩＧＰが低レベル電圧になるとともに、ドライバ部２３の出力終端抵抗（出力インピーダンス）が約５０［Ω］になる。
【００４９】
なお、動作モードＭＢ１（シングルエンド信号伝送モード）では、処理部１２は、信号ＰＵＡ，ＰＤＡをともに“０”にする。その結果、ドライバ部２３では、出力インピーダンスをハイインピーダンスにすることができるようになっている。
【００５０】
容量設定部２４は、制御部１１から供給された制御信号に基づいて、ドライバ部２３の負荷容量を設定するものである。容量設定部２４は、容量素子８１〜８３と、トランジスタ８４〜８６と、スルーレート制御部８９とを有している。容量素子８１〜８３は、例えばＭＯＭ（Metal-Oxide-Metal）容量を用いて構成されるものである。なお、これに限定されるものではなく、他の種類の容量素子を用いてもよい。容量素子８１の一端は、ドライバＤＶＡ１〜ＤＶＡ２４におけるトランジスタ９２のソースおよび抵抗素子９３の一端、および抵抗素子２５の一端に接続され、他端はトランジスタ８４のドレインに接続されている。容量素子８２の一端は、ドライバＤＶＡ１〜ＤＶＡ２４におけるトランジスタ９２のソースおよび抵抗素子９３の一端、および抵抗素子２５の一端に接続され、他端はトランジスタ８５のドレインに接続されている。容量素子８３の一端は、ドライバＤＶＡ１〜ＤＶＡ２４におけるトランジスタ９２のソースおよび抵抗素子９３の一端、および抵抗素子２５の一端に接続され、他端はトランジスタ８６のドレインに接続されている。トランジスタ８４〜８６は、この例では、ＮチャネルＭＯＳ型のＦＥＴである。トランジスタ８４のゲートには信号ＳＲＣ２が供給され、ドレインは容量素子８１の他端に接続され、ソースは接地されている。トランジスタ８５のゲートには信号ＳＲＣ１が供給され、ドレインは容量素子８２の他端に接続され、ソースは接地されている。トランジスタ８６のゲートには信号ＳＲＣ０が供給され、ドレインは容量素子８３の他端に接続され、ソースは接地されている。スルーレート制御部８９は、制御部１１から供給された制御信号に基づいて、３つのトランジスタ８４〜８６のうちのオン状態にするトランジスタの数を設定するものである。なお、この例では、容量素子８１〜８３およびトランジスタ８４〜８６を、それぞれ３つずつ設けたが、これに限定されるものではなく、それぞれ２つずつ設けてもよいし、それぞれ４つ以上ずつ設けてもよい。これにより、送信部１５Ａでは、動作モードに応じて、ドライバ部２３の負荷容量の容量値を設定することができる。その結果、送信部１５Ａでは、動作モードに応じて、出力信号のスルーレートを制御することができるようになっている。
【００５１】
抵抗素子２５は、静電気放電（ＥＳＤ；Electro Static Discharge）に対する耐性を高めるために設けられたものであり、一端はドライバ部２３の出力端子および容量素子８１〜８３の一端に接続され、他端は出力端子ＴoutＡに接続されている。抵抗素子２５の抵抗値は、例えば数［Ω］程度である。
【００５２】
（受信装置３０）
受信装置３０は、図１Ａに示したように、通信システム１Ａにおいて用いられるものである。受信装置３０は、制御部３１と、受信部３２Ａ〜３２Ｃと、受信部３３と、処理部３４とを有している。
【００５３】
制御部３１は、受信装置３０における動作を制御するものである。また、制御部３１は、後述するように、受信部３３に対して制御信号を供給することにより、終端抵抗のオンオフを制御する機能をも有している。
【００５４】
受信部３２Ａは、送信装置１０が動作モードＭＡ１（シングルエンド信号伝送モード）で動作する場合において、送信装置１０が送信したシングルエンド信号を、入力端子ＴinＡを介して受信するものである。同様に、受信部３２Ｂは、送信装置１０が動作モードＭＡ１で動作する場合において、送信装置１０が送信したシングルエンド信号を、入力端子ＴinＢを介して受信するものである。受信部３２Ｃは、送信装置１０が動作モードＭＡ１で動作する場合において、送信装置１０が送信したシングルエンド信号を、入力端子ＴinＣを介して受信するものである。
【００５５】
受信部３３は、送信装置１０が動作モードＭＡ２（３相信号伝送モード）で動作する場合において、送信装置１０が送信した信号ＳＩＧＡ，ＳＩＧＢ，ＳＩＧＣを、入力端子ＴinＡ，ＴinＢ，ＴinＣを介してそれぞれ受信するものである。
【００５６】
図５は、受信部３３の一構成例を表すものである。受信部３３は、抵抗素子３５Ａ，３５Ｂ，３５Ｃと、スイッチ３６Ａ，３６Ｂ，３６Ｃと、アンプ３７Ａ，３７Ｂ，３７Ｃとを有している。
【００５７】
抵抗素子３５Ａ，３５Ｂ，３５Ｃは、通信システム１Ａの終端抵抗として機能するものであり、抵抗値は、この例では、５０［Ω］程度である。抵抗素子３５Ａの一端は入力端子ＴinＡに接続されるとともに信号ＳＩＧＡが供給され、他端はスイッチ３６Ａの一端に接続されている。抵抗素子３５Ｂの一端は入力端子ＴinＢに接続されるとともに信号ＳＩＧＢが供給され、他端はスイッチ３６Ｂの一端に接続されている。抵抗素子３５Ｃの一端は入力端子ＴinＣに接続されるとともに信号ＳＩＧＣが供給され、他端はスイッチ３６Ｃの一端に接続されている。
【００５８】
スイッチ３６Ａの一端は抵抗素子３５Ａの他端に接続され、他端はスイッチ３６Ｂ，３６Ｃの他端に接続されている。スイッチ３６Ｂの一端は抵抗素子３５Ｂの他端に接続され、他端はスイッチ３６Ａ，３６Ｃの他端に接続されている。スイッチ３６Ｃの一端は抵抗素子３５Ｃの他端に接続され、他端はスイッチ３６Ａ，３６Ｂの他端に接続されている。スイッチ３６Ａ，３６Ｂ，３６Ｃは、制御部３１から供給された制御信号に基づいてオンオフする。具体的には、スイッチ３６Ａ，３６Ｂ，３６Ｃは、送信装置１０が動作モードＭＡ１で動作し、受信装置３０がシングルエンド信号を受信するときにオフ状態になる。また、スイッチ３６Ａ，３６Ｂ，３６Ｃは、送信装置１０が動作モードＭＡ２で動作し、受信装置３０が信号ＳＩＧＡ，ＳＩＧＢ，ＳＩＧＣを受信するときにオン状態になるようになっている。
【００５９】
アンプ３７Ａの正入力端子は、アンプ３７Ｃの負入力端子および抵抗素子３５Ａの一端に接続されるとともに信号ＳＩＧＡが供給され、負入力端子は、アンプ３７Ｂの正入力端子および抵抗素子３５Ｂの一端に接続されるとともに信号ＳＩＧＢが供給される。アンプ３７Ｂの正入力端子は、アンプ３７Ａの負入力端子および抵抗素子３５Ｂの一端に接続されるとともに信号ＳＩＧＢが供給され、負入力端子は、アンプ３７Ｃの正入力端子および抵抗素子３５Ｃの一端に接続されるとともに信号ＳＩＧＣが供給される。アンプ３７Ｃの正入力端子は、アンプ３７Ｂの負入力端子および抵抗素子３５Ｃの一端に接続されるとともに信号ＳＩＧＣが供給され、負入力端子は、アンプ３７Ａの正入力端子および抵抗素子３５Ａに接続されるとともに信号ＳＩＧＡが供給される。
【００６０】
この構成により、アンプ３７Ａは、信号ＳＩＧＡと信号ＳＩＧＢとの差分ＡＢ（ＳＩＧＡ−ＳＩＧＢ）に応じた信号を出力し、アンプ３７Ｂは、信号ＳＩＧＢと信号ＳＩＧＣとの差分ＢＣ（ＳＩＧＢ−ＳＩＧＣ）に応じた信号を出力し、アンプ３７Ｃは、信号ＳＩＧＣと信号ＳＩＧＡとの差分ＣＡ（ＳＩＧＣ−ＳＩＧＡ）に応じた信号を出力するようになっている。
【００６１】
図６は、受信装置３０がシンボル“＋ｘ”を受信する場合における、受信部３３の一動作例を表すものである。なお、スイッチ３６Ａ，３６Ｂ，３６Ｃは、オン状態であるため、図示を省いている。この例では、信号ＳＩＧＡは高レベル電圧ＶＨであり、信号ＳＩＧＢは低レベル電圧ＶＬであり、信号ＳＩＧＣは中レベル電圧ＶＭである。この場合には、入力端子ＴinＡ、抵抗素子３５Ａ、抵抗素子３５Ｂ、入力端子ＴinＢの順に電流Ｉinが流れる。そして、アンプ３７Ａの正入力端子には高レベル電圧ＶＨが供給されるとともに負入力端子には低レベル電圧ＶＬが供給され、差分ＡＢは正（ＡＢ＞０）になるため、アンプ３７Ａは“１”を出力する。また、アンプ３７Ｂの正入力端子には低レベル電圧ＶＬが供給されるとともに負入力端子には中レベル電圧ＶＭが供給され、差分ＢＣは負（ＢＣ＜０）になるため、アンプ３７Ｂは“０”を出力する。また、アンプ３７Ｃの正入力端子には中レベル電圧ＶＭが供給されるとともに負入力端子には高レベル電圧ＶＨが供給され、差分ＣＡは負（ＣＡ＜０）になるため、アンプ３７Ｃは“０”を出力するようになっている。
【００６２】
処理部３４は、受信部３２Ａ，３２Ｂ，３２Ｃおよび受信部３３により受信された信号、および制御部３１から供給された制御信号に基づいて、所定の処理を行うものである。
【００６３】
（受信装置４０）
受信装置４０は、図１Ｂに示したように、通信システム１Ｂにおいて用いられるものである。受信装置４０は、制御部４１と、受信部４２Ａ〜４２Ｃと、受信部４３と、処理部４４とを有している。
【００６４】
制御部４１は、受信装置４０における動作を制御するものである。また、制御部４１は、後述するように、受信部４３に対して制御信号を供給することにより、終端抵抗のオンオフを制御する機能をも有している。
【００６５】
受信部４２Ａは、送信装置１０が動作モードＭＢ１（シングルエンド信号伝送モード）で動作する場合において、送信装置１０が送信したシングルエンド信号を、入力端子ＴinＡを介して受信するものである。同様に、受信部４２Ｂは、送信装置１０が動作モードＭＢ１で動作する場合において、送信装置１０が送信したシングルエンド信号を、入力端子ＴinＢを介して受信するものである。
【００６６】
受信部４３は、送信装置１０が動作モードＭＢ２（差動信号伝送モード）で動作する場合において、送信装置１０が送信した信号ＳＩＧＰ，ＳＩＧＮを、入力端子ＴinＡ，ＴinＢを介してそれぞれ受信するものである。
【００６７】
図５は、受信部４３の一構成例を表すものである。受信部４３は、抵抗素子４５と、スイッチ４６Ａ，４６Ｂと、アンプ４７とを有している。抵抗素子４５は、通信システム１Ｂの終端抵抗として機能するものであり、抵抗値は、この例では、１００［Ω］程度である。抵抗素子４５の一端はスイッチ４６Ａの他端に接続され、他端はスイッチ４６Ｂの他端に接続されている。スイッチ４６Ａの一端は入力端子ＴinＡに接続されるとともに信号ＳＩＧＰが供給され、他端は抵抗素子４５の一端に接続されている。スイッチ４６Ｂの一端は入力端子ＴinＢに接続されるとともに信号ＳＩＧＮが供給され、他端は抵抗素子４５の他端に接続されている。スイッチ４６Ａ，４６Ｂは、制御部４１から供給された制御信号に基づいてオンオフする。具体的には、スイッチ４６Ａ，４６Ｂは、送信装置１０が動作モードＭＢ１で動作し、受信装置４０がシングルエンド信号を受信するときにオフ状態になる。また、スイッチ４６Ａ，４６Ｂは、送信装置１０が動作モードＭＢ２で動作し、受信装置４０が信号ＳＩＧＰ，ＳＩＧＮを受信するときにオン状態になるようになっている。アンプ３７Ａの正入力端子は、スイッチ４６Ａの一端に接続されるとともに信号ＳＩＧＰが供給され、負入力端子は、スイッチ４６Ｂの一端が接続されるとともに信号ＳＩＧＮが供給される。
【００６８】
処理部４４は、受信部４２Ａ，４２Ｂおよび受信部４３により受信された信号、および制御部４１から供給された制御信号に基づいて、所定の処理を行うものである。
【００６９】
ここで、制御部１１は、本開示における「制御部」の一具体例に対応する。送信部１５Ａ，１５Ｂ，１５Ｃは、本開示における「第１の送信部」，「第２の送信部」，「第３の送信部」の一具体例に対応する。例えば、送信部１４Ａは、本開示における「第４の送信部」の一具体例に対応する。抵抗素子９１は、本開示における「第１の抵抗素子」の一具体例に対応する。トランジスタ９２は、本開示における「第１のトランジスタ」の一具体例に対応する。動作モードＭＡ２は、本開示における「第１の動作モード」の一具体例に対応し、信号ＳＩＧＡ，ＳＩＧＢ，ＳＩＧＣは、本開示における「第１の信号フォーマット」の一具体例に対応する。動作モードＭＢ２は、本開示における「第２の動作モード」の一具体例に対応し、信号ＳＩＧＰ，ＳＩＧＮは、本開示における「第２の信号フォーマット」の一具体例に対応する。
【００７０】
［動作および作用］
続いて、本実施の形態の通信システム１Ａ，１Ｂの動作および作用について説明する。
【００７１】
（全体動作概要）
まず、図１Ａ，４を参照して、通信システム１Ａの全体動作概要を説明する。通信システム１Ａの送信装置１０において、制御部１１は、送信装置１０における動作を制御する。また、制御部１１は、動作モードＭＡ１および動作モードＭＡ２のうちの一方を選択し、送信装置１０が選択された動作モードで動作するように制御する。処理部１２は、制御部１１から供給された制御信号に基づいて、動作モードに応じた動作を行い、送信部１４Ａ，１４Ｂ，１４Ｃ、１５Ａ，１５Ｂ，１５Ｃに対して信号を供給する。レギュレータ１３は、制御部１１から供給された制御信号に基づいて、電圧Ｖreg（電圧ＶregＡ）を生成する。送信部１４Ａ，１４Ｂ，１４Ｃは、動作モードＭＡ１（シングルエンド信号伝送モード）において、処理部１２から供給された信号に基づいてシングルエンド信号をそれぞれ生成し、出力端子ＴoutＡ，ＴoutＢ，ＴoutＣを介してそれぞれ送信する。送信部１５Ａ，１５Ｂ，１５Ｃは、動作モードＭＡ２（３相信号伝送モード）において、処理部１２から供給された信号に基づいて信号ＳＩＧＡ，ＳＩＧＢ，ＳＩＧＣをそれぞれ生成し、出力端子ＴoutＡ，ＴoutＢ，ＴoutＣを介して送信する。
【００７２】
例えば送信部１５Ａにおいて、インピーダンス制御部２１は、信号ＰＵＡ，ＰＤＡおよび制御部１１から供給された制御信号に基づいて、信号ＰＵＵ１〜ＰＵＵ２４、ＰＤＤ１〜ＰＤＤ２４を生成する。プリドライバ部２２Ｕは、信号ＰＵＵ１〜ＰＵＵ２４に基づいて信号ＰＵ１〜ＰＵ２４を生成し、この信号ＰＵ１〜ＰＵ２４を用いてドライバ部２３のトランジスタ９２を駆動する。プリドライバ部２２Ｄは、信号ＰＤＤ１〜ＰＤＤ２４に基づいて信号ＰＤ１〜ＰＤ２４を生成し、この信号ＰＤ１〜ＰＤ２４を用いてドライバ部２３のトランジスタ９４を駆動する。ドライバ部２３は、信号ＰＵ１〜ＰＵ２４、ＰＤ１〜ＰＤ２４に基づいて、信号ＳＩＧＡを生成する。容量設定部２４は、制御部１１から供給された制御信号に基づいて、動作モードに応じて、ドライバ部２３の負荷容量を設定する。
【００７３】
通信システム１Ａの受信装置３０において、制御部３１は、受信装置３０における動作を制御する。また、制御部３１は、受信部３３に対して制御信号を供給することにより、終端抵抗のオンオフを制御する。受信部３２Ａ，３２Ｂ，３２Ｃは、送信装置１０が動作モードＭＡ１（シングルエンド信号伝送モード）で動作する場合において、送信装置１０が送信したシングルエンド信号を、入力端子ＴinＡ，ＴinＢ，ＴinＣを介してそれぞれ受信する。受信部３３は、送信装置１０が動作モードＭＡ２（３相信号伝送モード）で動作する場合において、送信装置１０が送信した信号ＳＩＧＡ，ＳＩＧＢ，ＳＩＧＣを、入力端子ＴinＡ，ＴinＢ，ＴinＣを介してそれぞれ受信する。処理部３４は、受信部３２Ａ，３２Ｂ，３２Ｃおよび受信部３３により受信された信号、および制御部３１から供給された制御信号に基づいて、所定の処理を行う。
【００７４】
次に、図１Ｂ，４を参照して、通信システム１Ｂの全体動作概要を説明する。通信システム１Ｂでは、制御部１１は、動作モードＭＢ１および動作モードＭＢ２のうちの一方を選択し、送信装置１０が選択された動作モードで動作するように制御する。レギュレータ１３は、制御部１１から供給された制御信号に基づいて、電圧Ｖreg（電圧ＶregＢ）を生成する。処理部１２は、制御部１１から供給された制御信号に基づいて、動作モードに応じた動作を行い、送信部１４Ａ，１４Ｂ，１５Ａ，１５Ｂに対して信号を供給する。送信部１４Ａ，１４Ｂは、動作モードＭＢ１（シングルエンド信号伝送モード）において、処理部１２から供給された信号に基づいてシングルエンド信号をそれぞれ生成し、出力端子ＴoutＡ，ＴoutＢを介してそれぞれ送信する。送信部１５Ａ，１５Ｂは、動作モードＭＢ２（差動信号伝送モード）において、処理部１２から供給された信号に基づいて信号ＳＩＧＰ，ＳＩＧＮをそれぞれ生成し、出力端子ＴoutＡ，ＴoutＢを介して送信する。例えば送信部１５Ａにおいて、容量設定部２４は、制御部１１から供給された制御信号に基づいて、動作モードに応じて、ドライバ部２３の負荷容量を設定する。
【００７５】
通信システム１Ｂの受信装置４０において、制御部４１は、受信装置４０における動作を制御する。また、制御部４１は、受信部４３に対して制御信号を供給することにより、終端抵抗のオンオフを制御する。受信部４２Ａ，４２Ｂは、送信装置１０が動作モードＭＢ１（シングルエンド信号伝送モード）で動作する場合において、送信装置１０が送信したシングルエンド信号を、入力端子ＴinＡ，ＴinＢを介してそれぞれ受信する。受信部４３は、送信装置１０が動作モードＭＢ２（差動信号伝送モード）で動作する場合において、送信装置１０が送信した信号ＳＩＧＰ，ＳＩＧＮを、入力端子ＴinＡ，ＴinＢを介してそれぞれ受信する。処理部４４は、受信部４２Ａ，４２Ｂおよび受信部４３により受信された信号、および制御部４１から供給された制御信号に基づいて、所定の処理を行う。
【００７６】
（容量設定部２４の詳細動作）
容量設定部２４は、制御部１１から供給された制御信号に基づいて、動作モードに応じて、ドライバ部２３の負荷容量を設定する。具体的には、容量設定部２４のスルーレート制御部８９は、動作モードに応じて、信号ＳＲＣ２を用いてトランジスタ８４のオンオフを制御し、信号ＳＲＣ１を用いてトランジスタ８５のオンオフを制御し、信号ＳＲＣ０を用いてトランジスタ８６のオンオフを制御する。この例では、例えば、信号ＳＲＣ２が“１”である場合にはトランジスタ８４がオン状態になり、信号ＳＲＣ２が“０”である場合にはトランジスタ８４がオフ状態になる。信号ＳＲＣ１，ＳＲＣ０についても同様である。容量素子８１〜８３の容量値を、例えば、２５０［ｆＦ］程度にした場合には、容量設定部２４は、０［ｆＦ］から７５０［ｆＦ］の範囲で、２５０［ｆＦ］単位で、容量値を設定することができる。これにより、送信部１５Ａ，１５Ｂ，１５Ｃでは、動作モードに応じて、出力信号のスルーレートを制御することができる。
【００７７】
図８は、容量設定部２４の一動作例を表すものであり、（Ａ）は、送信装置１０から送信される信号の波形を示し、（Ｂ）は、送信装置１０を通信システム１Ａに適用した場合における信号ＳＲＣ２，ＳＲＣ１，ＳＲＣ０の一例を示し、（Ｃ）は、送信装置１０を通信システム１Ｂに適用した場合における信号ＳＲＣ２，ＳＲＣ１，ＳＲＣ０の一例を示す。図８（Ｂ），（Ｃ）において、３桁の数字は、信号ＳＲＣ２，ＳＲＣ１，ＳＲＣ０の値をこの順に示している。“ＸＸＸ”は、任意の設定である。
【００７８】
送信装置１０を通信システム１Ａに適用した場合には、送信装置１０は、タイミングｔ１〜ｔ２の期間において、動作モードＭＡ２（３相信号伝送モード）で動作し、３相信号（信号ＳＩＧＡ，ＳＩＧＢ，ＳＩＧＣ）を送信している。このとき、この例では、信号ＳＲＣ２，ＳＲＣ１，ＳＲＣ０を“０００”にしている（図８（Ｂ））。これにより、通信システム１Ａでは、この例では、容量設定部２４における容量値を小さくすることができるため、信号ＳＩＧＡ，ＳＩＧＢ，ＳＩＧＣのスルーレートを高くすることができる。
【００７９】
また、送信装置１０を通信システム１Ｂに適用した場合には、送信装置１０は、タイミングｔ１〜ｔ２の期間において、動作モードＭＢ２（差動信号伝送モード）で動作し、差動信号（信号ＳＩＧＰ，ＳＩＧＮ）を送信している。このとき、この例では、信号ＳＲＣ２，ＳＲＣ１，ＳＲＣ０を“ＸＸＸ”（任意の設定）にしている（図８（Ｃ））。これにより、通信システム１Ｂでは、この例では、信号ＳＩＧＡ，ＳＩＧＢ，ＳＩＧＣのスルーレートを、所望の値にすることができる。
【００８０】
このように、送信装置１０では、動作モードに応じて、スルーレートを変更できるようにしたので、様々なインタフェースを実現することができる。すなわち、例えば、３相信号（信号ＳＩＧＡ，ＳＩＧＢ，ＳＩＧＣ）を用いた信号フォーマットにより通信可能な通信システム１Ａと、差動信号（信号ＳＩＧＰ，ＳＩＧＮ）を用いた信号フォーマットにより通信可能な通信システム１Ｂとでは、例えば、スルーレートについての要求仕様が異なる場合がある。送信装置１０では、動作モードに応じて、出力信号のスルーレートを制御できるようにしたので、このように要求仕様が異なる場合でも、その要求仕様を満たすように、出力信号のスルーレートを設定することができる。その結果、送信装置１０では、様々なインタフェースを実現することができる。
【００８１】
また、送信装置１０は、タイミングｔ１以前の期間、およびタイミングｔ２以降の期間において、シングルエンド信号を送信している。このとき、この例では、信号ＳＲＣ２，ＳＲＣ１，ＳＲＣ０を“１１１”にしている（図８（Ｂ），８（Ｃ））。これにより、例えば、容量設定部２４におけるトランジスタ８４〜８６を絶縁破壊されにくくすることができる。すなわち、例えば、タイミングｔ１以前の期間、およびタイミングｔ２以降の期間において、信号ＳＲＣ２，ＳＲＣ１，ＳＲＣ０を“０００”にした場合には、トランジスタ８４〜８６はオフ状態になるため、トランジスタ８４〜８６のドレインは電気的にフローティング状態になる。よって、容量素子８１〜８３の一端におけるシングルエンド信号が現れると、トランジスタ８４〜８６のドレインの電圧が、そのシングルエンド信号に応じて変化する。その際、容量素子８１〜８３に蓄えられた電荷によっては、トランジスタ８４〜８６のドレインの電圧が高くなり、トランジスタ８４〜８６を絶縁破壊するおそれがある。送信装置１０では、タイミングｔ１以前の期間、およびタイミングｔ２以降の期間において、信号ＳＲＣ２，ＳＲＣ１，ＳＲＣ０を“１１１”にしたので、トランジスタ８４〜８６はオフ状態になるため、トランジスタ８４〜８６が絶縁破壊されるおそれを低減することができる。
【００８２】
このように、送信装置１０では、複数の動作モードＭＡ１，ＭＡ２，ＭＢ１，ＭＢ２を設け、動作モードに応じて、出力信号のフォーマットを変更できるように構成するとともに、動作モードに応じて、出力信号のスルーレートを制御できるようにしたので、様々なインタフェースを実現することができる。
【００８３】
これにより、例えば、電子機器のシステム設計の自由度を高めることができる。すなわち、この送信装置１０をプロセッサに搭載した場合には、３相信号（信号ＳＩＧＡ，ＳＩＧＢ，ＳＩＧＣ）を用いた信号フォーマットでデータ通信を行う周辺デバイスを用いて電子機器を構成することもできるし、差動信号（信号ＳＩＧＰ，ＳＩＧＮ）を用いた信号フォーマットでデータ通信を行う周辺デバイスを用いて電子機器を構成することもできる。また、例えば、１つのプロセッサで様々なインタフェースを実現することができるため、インタフェースごとにプロセッサを準備する必要がないため、プロセッサの品種数を絞ることができ、コストを削減することができる。
【００８４】
（比較例）
次に、比較例と対比して、本実施の形態の作用を説明する。本比較例は、プリドライバにおける遅延時間を変化させることにより、出力信号のスルーレートを制御するものである。
【００８５】
図９は、比較例に係る送信部９Ｒにおける要部の一構成例を表すものである。送信部９Ｒは、プリドライバ部２２Ｒと、ドライバ部２３Ｒとを有している。
【００８６】
プリドライバ部２２Ｒは、信号ＳＩＮに基づいて信号Ｓ１，Ｓ２，Ｓ３を生成するものである。プリドライバ部２２Ｒは、プリドライバ２２１〜２２３を有している。プリドライバ２２１は、所定の遅延量だけ信号ＳＩＮを遅延させることにより信号Ｓ１を生成するものである。プリドライバ２２２は、制御信号ＳＥＬに応じた遅延量だけ信号ＳＩＮを遅延させることにより信号Ｓ２を生成するものである。制御信号ＳＥＬに応じた遅延量だけ信号ＳＩＮを遅延させることにより信号Ｓ３を生成するものである。
【００８７】
具体的には、制御信号ＳＥＬが“０”を示す信号である場合には、プリドライバ２２１はバッファ２つ分の遅延量だけ信号ＳＩＮを遅延させることにより信号Ｓ１を生成し、プリドライバ２２２はバッファ２つ分の遅延量だけ信号ＳＩＮを遅延させることにより信号Ｓ２を生成し、プリドライバ２２３はバッファ２つ分の遅延量だけ信号ＳＩＮを遅延させることにより信号Ｓ３を生成する。
【００８８】
また、制御信号ＳＥＬが“１”を示す信号である場合には、プリドライバ２２１はバッファ２つ分の遅延量だけ信号ＳＩＮを遅延させることにより信号Ｓ１を生成し、プリドライバ２２２はバッファ３つ分の遅延量だけ信号ＳＩＮを遅延させることにより信号Ｓ２を生成し、プリドライバ２２３はバッファ４つ分の遅延量だけ信号ＳＩＮを遅延させることにより信号Ｓ３を生成する。
【００８９】
また、制御信号ＳＥＬが“２”を示す信号である場合には、プリドライバ２２１はバッファ２つ分の遅延量だけ信号ＳＩＮを遅延させることにより信号Ｓ１を生成し、プリドライバ２２２はバッファ４つ分の遅延量だけ信号ＳＩＮを遅延させることにより信号Ｓ２を生成し、プリドライバ２２３はバッファ６つ分の遅延量だけ信号ＳＩＮを遅延させることにより信号Ｓ３を生成する。
【００９０】
ドライバ部２３Ｒは、信号Ｓ１，Ｓ２，Ｓ３に基づいて信号ＳＯＵＴを生成するものである。ドライバ部２３Ｒは、ドライバ２３１，２３２，２３３を有している。ドライバ２３１は、信号Ｓ１に基づいて動作するものであり、ドライバ２３２は、信号Ｓ２に基づいて動作するものであり、ドライバ２３３は、信号Ｓ３に基づいて動作するものである。ドライバ２１１〜２１３の出力端子は、互いに接続されている。
【００９１】
この構成により、送信部９Ｒは、制御信号ＳＥＬに基づいて、信号ＳＯＵＴのスルーレートを制御する。具体的には、例えば、制御信号ＳＥＬが“０”を示す信号である場合には、送信部９Ｒでは、プリドライバ２２１〜２２３における遅延量がほぼ等しくなる。よって、送信部９Ｒは、信号ＳＯＵＴのスルーレートを高くすることができる。また、例えば、制御信号ＳＥＬが“１”を示す信号である場合には、送信部９Ｒでは、プリドライバ２２２における遅延量がプリドライバ２２１における遅延量よりもバッファ１つ分だけ長くなり、プリドライバ２２３における遅延量がプリドライバ２２２における遅延量よりもバッファ１つ分だけ長くなる。よって、送信部９Ｒでは、信号ＳＯＵＴのスルーレートを低くすることができる。また、例えば、制御信号ＳＥＬが“２”を示す信号である場合には、送信部９Ｒでは、プリドライバ２２２における遅延量がプリドライバ２２１における遅延量よりもバッファ２つ分だけ長くなり、プリドライバ２２３における遅延量がプリドライバ２２２における遅延量よりもバッファ２つ分だけ長くなる。よって、送信部９Ｒでは、信号ＳＯＵＴのスルーレートをさらに低くすることができる。
【００９２】
しかしながら、送信部９Ｒでは、プリドライバ２２１〜２２３におけるバッファの遅延量が、プロセスばらつき、電源電圧変動、温度変動などにより大きく変化するおそれがあるため、スルーレートが大きく変化してしまうおそれがある。また、バッファ１段当たりの遅延量は、例えば数十［ｐｓｅｃ．］程度であり、調整ステップが大きいため、調整が粗くなってしまう。さらに、例えば、スルーレートを低くする場合には、多くのバッファを使用するため、その分消費電力が増大してしまう。
【００９３】
一方、本実施の形態に係る送信装置１０では、容量設定部２４における容量値を変化させることによりスルーレートを制御するようにした。これにより、調整ステップを、例えば数［ｐｓｅｃ．］程度にすることができるため、調整を細かくすることができる。また、上記比較例とは異なり、バッファを使用しないため、消費電力を抑えることができる。また、送信装置１０では、ＭＯＭ容量を用いて容量素子８１〜８３を構成したので、上記比較例の場合に比べて、容量素子８１〜８３のプロセスばらつきによるスルーレートのばらつき量を抑えることができる。
【００９４】
［効果］
以上のように本実施の形態では、複数の動作モードを設け、動作モードに応じて、出力信号のフォーマットを変更できるように構成するとともに、動作モードに応じて、出力信号のスルーレートを制御できるようにしたので、様々なインタフェースを実現することができる。
【００９５】
本実施の形態では、容量設定部における容量値を変化させることによりスルーレートを制御するようにしたので、調整を細かくすることができ、また、消費電力を抑えることができる。
【００９６】
本実施の形態では、ＭＯＭ容量を用いて容量素子８１〜８３を構成したので、スルーレートのばらつき量を抑えることができる。
【００９７】
［変形例１−１］
上記実施の形態では、２０個のトランジスタ９２をオン状態にすることにより高レベル電圧ＶＨを生成したが、これに限定されるものではない。例えば、製造時の素子ばらつきにより、抵抗素子９１の抵抗値とトランジスタ９２のオン状態における抵抗値との和が１０００［Ω］よりも小さい場合には、オン状態にするトランジスタ９２の数を減らしてもよい。また、抵抗素子９１の抵抗値とトランジスタ９２のオン状態における抵抗値との和が１０００［Ω］よりも大きい場合には、オン状態にするトランジスタ９２の数を増やしてもよい。低レベル電圧ＶＬを生成する場合についても同様である。
【００９８】
［変形例１−２］
上記実施の形態では、１０個のトランジスタ９２および１０個のトランジスタ９４をオン状態にすることにより中レベル電圧ＶＭを生成したが、これに限定されるものではない。例えば、製造時の素子ばらつきにより、抵抗素子９１の抵抗値とトランジスタ９２のオン状態における抵抗値との和が、抵抗素子９３の抵抗値とトランジスタ９４のオン状態における抵抗値との和よりも小さい場合には、オン状態にするトランジスタ９２の数を、オン状態にするトランジスタ９４の数よりも少なくしてもよい。また、抵抗素子９１の抵抗値とトランジスタ９２のオン状態における抵抗値との和が、抵抗素子９３の抵抗値とトランジスタ９４のオン状態における抵抗値との和よりも大きい場合には、オン状態にするトランジスタ９２の数を、オン状態にするトランジスタ９４の数よりも多くしてもよい。これにより、中レベル電圧ＶＭを、高レベル電圧ＶＨと低レベル電圧ＶＬの中間電圧に近付けることができる。
【００９９】
［変形例１−３］
上記実施の形態では、図８に示したように、タイミングｔ１以前の期間、およびタイミングｔ２以降の期間において、トランジスタ８４〜８６をオン状態にしたが、これに限定されるものではない。これに代えて、例えば、タイミングｔ１以前の期間、およびタイミングｔ２以降の期間のうちの少なくとも一部の期間において、トランジスタ８４〜８６をオン状態にしてもよい。
【０１００】
＜２．第２の実施の形態＞
次に、第２の実施の形態に係る通信システム５Ａ，５Ｂについて説明する。本実施の形態は、ドライバ部の入力信号のエッジに着目して、信号ＳＩＧＡ，ＳＩＧＢ，ＳＩＧＣおよび信号ＳＩＧＰ，ＳＩＧＮのスルーレートが高くなり過ぎないようにしたものである。なお、上記第１の実施の形態に係る通信システム１Ａ，１Ｂと実質的に同一の構成部分には同一の符号を付し、適宜説明を省略する。
【０１０１】
図１Ａ，１Ｂに示したように、通信システム５Ａ，５Ｂは、送信装置５０を備えている。送信装置５０は、送信部５５Ａ，５５Ｂ，５５Ｃを有している。
【０１０２】
図１０は、送信部５５Ａの一構成例を表すものである。送信部５５Ｂ，５５Ｃについても同様である。送信部５５Ａは、ドライバ部５３を有している。ドライバ部５３は、信号ＰＵ１〜ＰＵ２４、ＰＤ１〜ＰＤ２４に基づいて、信号ＳＩＧＡを生成するものである。ドライバ部５３は、この例では２４個のドライバＤＶＢ１〜ＤＶＢ２４を有している。
【０１０３】
ドライバＤＶＢ１は、トランジスタ９２，９４と、抵抗素子９１，９３，９９とを有している。すなわち、ドライバＤＶＢ１は、上記実施の形態に係るドライバＤＶＡ１（図４）に、抵抗素子９９を追加したものである。抵抗素子９９は、抵抗素子９１，９３と同じ種類（例えばいわゆるポリシリコン）の抵抗素子を用いて構成されたものである。なお、これに限定されるものではなく、抵抗素子９１，９３と異なる種類の抵抗素子を用いて構成してもよい。抵抗素子９９の一端には、信号ＰＵ１が供給され、他端はトランジスタ９２のゲートに接続されている。ドライバＤＶＢ２〜ＤＶＢ２４についても同様である。
【０１０４】
このように、送信装置５０では、ドライバＤＶＢ１〜ＤＶＢ２４において、トランジスタ９２のゲートに抵抗素子９９を挿入したので、以下に説明するように、送信装置５０の出力信号のスルーレートが高くなり過ぎないようにすることができる。
【０１０５】
図１１は、送信装置５０を動作モードＭＢ２（差動信号伝送モード）で動作させたときの、信号ＳＩＧＰ，ＳＩＧＮの差分の波形の一例を表すものである。図１２は、送信装置５０において、抵抗素子９９を省いた場合における、信号ＳＩＧＰ，ＳＩＧＮの差分の波形の一例を表すものである。抵抗素子９９を省いた場合には、図１２に示したように、スルーレートが高くなっている。さらに、この例では、スルーレートが高いことに起因して、いわゆるオーバーシュートやアンダーシュートが生じている。このように、スルーレートが高い場合には、例えば、電磁妨害（ＥＭＩ；Electro-Magnetic Interference）が生じるおそれがある。一方、送信装置５０では、抵抗素子９９を挿入したので、図１１に示したように、スルーレートを適切な値に設定することができる。その結果、送信装置５０では、オーバーシュートやアンダーシュートを抑えるとともに、電磁妨害が生じるおそれを低減することができる。なお、この例では、送信装置５０を動作モードＭＢ２で動作させた場合を例に説明したが、これに限定されるものではなく、送信装置５０を動作モードＭＡ２（３相信号伝送モード）で動作させた場合についても同様である。
【０１０６】
次に、抵抗素子９９の作用について詳細に説明する。
【０１０７】
図１３は、送信部５５Ａの一動作例を模式的に表すものである。なお、この図では、説明の便宜上、ドライバＤＶＢ１〜ＤＶＢ２４のうちのドライバＤＶＢ１と、プリドライバ部２２Ｕ，２２Ｄのうちの、そのドライバＤＶＢ１に信号を供給する回路のみを描いている。この図１３では、トランジスタ９２のゲートとソースとの間の寄生容量を、容量素子Ｃ９２を用いて示している。
【０１０８】
この例では、プリドライバ部２２Ｕは、信号ＰＵＵ１に基づいて信号ＰＵ１を生成し、その信号ＰＵ１をドライバＤＶＢ１の抵抗素子９９の一端に供給する。また、プリドライバ部２２Ｄは、信号ＰＤＤ１に基づいて信号ＰＤ１を生成し、その信号ＰＤ１をドライバＤＶＢ１のトランジスタ９４のゲートに供給する。例えば、抵抗素子９９が無い場合には、信号ＰＵ１の遷移が、この寄生容量を介してトランジスタ９２のソースに伝わってしまい（フィードスルー効果）、送信部５５Ａの出力信号のスルーレートが高くなってしまうおそれがある。
【０１０９】
このようなフィードスルー効果は、トランジスタ９２のゲートとソースとの間の寄生容量が大きいほど生じやすくなる。しかしながら、以下に説明するように、様々な理由により、トランジスタ９２のゲート幅Ｗは広いことが望ましく、その結果、トランジスタ９２のゲートとソースとの間の寄生容量が大きくなってしまうため、フィードスルー効果が生じやすくなる。すなわち、例えば、一般に、抵抗素子９１における抵抗値のばらつき量は、トランジスタ９２におけるオン状態における抵抗値のばらつき量に比べて小さいので、トランジスタ９２のオン抵抗の寄与を少なくすることが望まれる。特に、トランジスタ９２の抵抗値は、バックバイアス効果により大きくなる傾向がある。これらの理由から、トランジスタ９２のゲート幅Ｗは広いことが望まれる。また、送信装置５０を、動作モードＭＡ２（３相信号伝送モード）で動作させる場合には、動作モードＭＢ２（差動信号伝送モード）で動作させる場合に比べて、電圧Ｖregを高い電圧（電圧ＶregＡ）に設定する。よって、送信装置５０では、高レベル電圧ＶＨの電圧を所望の電圧にするため、トランジスタ９２のゲート幅Ｗが広いことが望まれる。その結果、フィードスルー効果が生じやすくなってしまう。
【０１１０】
また、このようなフィードスルー効果は、特に、トランジスタの９２，９４のオン抵抗が小さくなりかつ抵抗素子９１，９３の抵抗値が大きくなるようなプロセスばらつきが生じた場合に顕著になる。なぜならば、まず第１に、このような条件では、プリドライバ部２２Ｕ，２２Ｄの駆動能力が向上し、プリドライバ部２２Ｕの出力信号ＰＵ１の遷移が急峻になるからである。そして、第２に、このような条件では、ドライバ部５３の出力インピーダンスを約５０［Ω］にするために、使用するトランジスタ９２，９４の数を多くするからである。
【０１１１】
そこで、送信装置５０では、ドライバＤＶＢ１〜ＤＶＢ２４において、トランジスタ９２のゲートに抵抗素子９９を挿入するようにした。これにより、抵抗素子９９が高い周波数成分を除去するフィルタとして機能するため、フィードスルー効果を抑制することができる。
【０１１２】
図１４は、抵抗素子９９の抵抗値を変化させたときの、信号ＳＩＧＰ，ＳＩＧＮにおける立上り時間ｔｒおよび立下り時間ｔｆの一例を表すものである。特性Ｗ１は、立上り時間ｔｒおよび立下り時間ｔｆが一番長くなるプロセス条件での特性である。このプロセス条件は、トランジスタの９２，９４のオン抵抗が大きくなりかつ抵抗素子９１，９３，９９の抵抗値が小さくなる条件である。特性Ｗ２は、立上り時間ｔｒおよび立下り時間ｔｆが一番短くなるプロセス条件での特性である。このプロセス条件は、トランジスタの９２，９４のオン抵抗が小さくなりかつ抵抗素子９１，９３，９９の抵抗値が大きくなる条件である。
【０１１３】
特性Ｗ２で示したプロセス条件では、抵抗素子９１，９３，９９の抵抗値が大きくなるので、上述したように、ドライバ部５３の出力インピーダンスを約５０［Ω］にするために、使用するトランジスタ９２，９４の数が多くなる。また、トランジスタの９２，９４のオン抵抗が小さくなるので、上述したように、プリドライバ部２２Ｕ，２２Ｄの駆動能力が向上し、その結果、プリドライバ部２２Ｕの出力信号ＰＵ１の遷移が急峻になる。すなわち、このプロセス条件は、フィードスルー効果が顕著になりやすい条件である。このような条件では、信号ＰＵ１の遷移に係る高い周波数成分が抵抗素子９９により除去されるため、抵抗素子９９の抵抗値を大きくするほど、フィードスルー効果を抑制することができる。その結果、信号ＳＩＧＰ，ＳＩＧＮのスルーレートが高くなり過ぎないようにすることができる。
【０１１４】
また、例えば、特性Ｗ１で示したプロセス条件では、抵抗素子９１，９３，９９の抵抗値が小さくなるので、ドライバ部５３の出力インピーダンスを約５０［Ω］にするために、使用するトランジスタ９２，９４の数が少なくなる。また、トランジスタの９２，９４のオン抵抗が大きくなるので、プリドライバ部２２Ｕ，２２Ｄの駆動能力が低下し、その結果、プリドライバ部２２Ｕの出力信号ＰＵ１の遷移が緩やかになる。すなわち、このプロセス条件は、フィードスルー効果が弱くなる条件である。このような条件では、信号ＰＵ１の遷移に係る周波数成分の帯域が低いため、この周波数成分は抵抗素子９９によりさほど除去されない。よって、抵抗素子９９の抵抗値が変化しても、立上り時間ｔｒおよび立下り時間ｔｆがさほど変化しない。その結果、送信装置５０では、抵抗素子９９の抵抗値を大きくするほど、立上り時間ｔｒおよび立下り時間ｔｆのばらつき範囲（特性Ｗ１〜Ｗ２）を狭めることができる。
【０１１５】
また、例えば、送信装置５０では、抵抗素子９１，９３と同じ種類の抵抗素子を用いて抵抗素子９９を構成したので、効果的にスルーレートを制御することができる。具体的には、例えば、プロセスばらつきにより、抵抗素子９１，９３の抵抗値が大きくなった場合には、ドライバ部５３の出力インピーダンスを約５０［Ω］にするために、オン状態にするトランジスタ９２の数を多くするので、上述したように、フィードスルー効果が顕著になるおそれがある。しかしながら、このようなプロセス条件では、抵抗素子９９の抵抗値も大きくなるので、高い周波数成分を除去する効果が高まるため、効果的にスルーレートを制御することができる。また、例えば、プロセスばらつきにより、抵抗素子９１，９３の抵抗値が小さくなった場合には、ドライバ部５３の出力インピーダンスを約５０［Ω］にするために、オン状態にするトランジスタ９２の数を少なくするので、上述したように、フィードスルー効果が弱くなる。しかしながら、このようなプロセス条件では、抵抗素子９９の抵抗値も小さくなるので、高い周波数成分を除去する効果が弱まるため、効果的にスルーレートを制御することができる。
【０１１６】
以上のように本実施の形態では、ドライバにおいて、トランジスタ９２のゲートに抵抗素子を挿入したので、フィードスルー効果を抑制することができ、その結果、出力信号のスルーレートが高くなり過ぎないようにすることができる。
【０１１７】
本実施の形態では、抵抗素子９１，９３と同じ種類の抵抗素子を用いて抵抗素子９９を構成したので、効果的にスルーレートを制御することができる。
【０１１８】
［変形例２−１］
上記実施の形態では、例えば送信部５５Ａにおいて、容量設定部２４を設けるとともに、抵抗素子９９を含むドライバ部５３を設けたが、これに限定されるものではなく、これに代えて、例えば、図１５に示す送信部６５Ａのように、容量設定部２４を設けずに、抵抗素子９９を含むドライバ部５３を設けてもよい。
【０１１９】
＜３．適用例＞
次に、上記実施の形態および変形例で説明した通信システムの適用例について説明する。
【０１２０】
（適用例１）
図１６は、上記実施の形態等の通信システムが適用されるスマートフォン３００（多機能携帯電話）の外観を表すものである。このスマートフォン３００には、様々なデバイスが搭載されており、それらのデバイス間でデータのやり取りを行う通信システムにおいて、上記実施の形態等の通信システムが適用されている。
【０１２１】
図１７は、スマートフォン３００に用いられるアプリケーションプロセッサ３１０の一構成例を表すものである。アプリケーションプロセッサ３１０は、ＣＰＵ（Central Processing Unit）３１１と、メモリ制御部３１２と、電源制御部３１３と、外部インタフェース３１４と、ＧＰＵ（Graphics Processing Unit）３１５と、メディア処理部３１６と、ディスプレイ制御部３１７と、ＭＩＰＩ（Mobile Industry Processor Interface）インタフェース３１８とを有している。ＣＰＵ３１１、メモリ制御部３１２、電源制御部３１３、外部インタフェース３１４、ＧＰＵ３１５、メディア処理部３１６、ディスプレイ制御部３１７は、この例では、システムバス３１９に接続され、このシステムバス３１９を介して、互いにデータのやり取りをすることができるようになっている。
【０１２２】
ＣＰＵ３１１は、プログラムに従って、スマートフォン３００で扱われる様々な情報を処理するものである。メモリ制御部３１２は、ＣＰＵ３１１が情報処理を行う際に使用するメモリ５０１を制御するものである。電源制御部３１３は、スマートフォン３００の電源を制御するものである。
【０１２３】
外部インタフェース３１４は、外部デバイスと通信するためのインタフェースであり、この例では、無線通信部５０２およびイメージセンサ４１０と接続されている。無線通信部５０２は、携帯電話の基地局と無線通信をするものであり、例えば、ベースバンド部や、ＲＦ（Radio Frequency）フロントエンド部などを含んで構成される。イメージセンサ４１０は、画像を取得するものであり、例えばＣＭＯＳセンサを含んで構成される。
【０１２４】
ＧＰＵ３１５は、画像処理を行うものである。メディア処理部３１６は、音声や、文字や、図形などの情報を処理するものである。ディスプレイ制御部３１７は、ＭＩＰＩインタフェース３１８を介して、ディスプレイ５０４を制御するものである。ＭＩＰＩインタフェース３１８は、画像信号をディスプレイ５０４に送信するものである。画像信号としては、例えば、ＹＵＶ形式やＲＧＢ形式などの信号を用いることができる。ＭＩＰＩインタフェース３１８は、例えば水晶振動子を含む発振回路３３０から供給される基準クロックに基づいて動作するようになっている。このＭＩＰＩインタフェース３１８とディスプレイ５０４との間の通信システムには、例えば、上記実施の形態等の通信システムが適用される。
【０１２５】
図１８は、イメージセンサ４１０の一構成例を表すものである。イメージセンサ４１０は、センサ部４１１と、ＩＳＰ（Image Signal Processor）４１２と、ＪＰＥＧ（Joint Photographic Experts Group）エンコーダ４１３と、ＣＰＵ４１４と、ＲＡＭ（Random Access Memory）４１５と、ＲＯＭ（Read Only Memory）４１６と、電源制御部４１７と、Ｉ2Ｃ（Inter-Integrated Circuit）インタフェース４１８と、ＭＩＰＩインタフェース４１９とを有している。これらの各ブロックは、この例では、システムバス４２０に接続され、このシステムバス４２０を介して、互いにデータのやり取りをすることができるようになっている。
【０１２６】
センサ部４１１は、画像を取得するものであり、例えばＣＭＯＳセンサにより構成されるものである。ＩＳＰ４１２は、センサ部４１１が取得した画像に対して所定の処理を行うものである。ＪＰＥＧエンコーダ４１３は、ＩＳＰ４１２が処理した画像をエンコードしてＪＰＥＧ形式の画像を生成するものである。ＣＰＵ４１４は、プログラムに従ってイメージセンサ４１０の各ブロックを制御するものである。ＲＡＭ４１５は、ＣＰＵ４１４が情報処理を行う際に使用するメモリである。ＲＯＭ４１６は、ＣＰＵ４１４において実行されるプログラムやキャリブレーションにより得られた設定値などを記憶するものである。電源制御部４１７は、イメージセンサ４１０の電源を制御するものである。Ｉ2Ｃインタフェース４１８は、アプリケーションプロセッサ３１０から制御信号を受け取るものである。また、図示していないが、イメージセンサ４１０は、アプリケーションプロセッサ３１０から、制御信号に加えてクロック信号をも受け取るようになっている。具体的には、イメージセンサ４１０は、様々な周波数のクロック信号に基づいて動作できるよう構成されている。ＭＩＰＩインタフェース４１９は、画像信号をアプリケーションプロセッサ３１０に送信するものである。画像信号としては、例えば、ＹＵＶ形式やＲＧＢ形式などの信号を用いることができる。ＭＩＰＩインタフェース４１９は、例えば水晶振動子を含む発振回路４３０から供給される基準クロックに基づいて動作するようになっている。このＭＩＰＩインタフェース４１９とアプリケーションプロセッサ３１０との間の通信システムには、例えば、上記実施の形態等の通信システムが適用される。
【０１２７】
（適用例２）
図１９は、上記実施の形態等の通信システムが適用される車両制御システム６００の一構成例を表すものである。車両制御システム６００は、自動車、電気自動車、ハイブリッド電気自動車、自動二輪車などの動作を制御するものである。この車両制御システム６００は、駆動系制御ユニット６１０と、ボディ系制御ユニット６２０と、バッテリ制御ユニット６３０と、車外情報検出ユニット６４０と、車内情報検出ユニット６５０と、統合制御ユニット６６０とを有している。これらのユニットは、通信ネットワーク６９０を介して互いに接続されている。通信ネットワーク６９０は、例えば、ＣＡＮ（Controller Area Network）、ＬＩＮ（Local Interconnect Network）、ＬＡＮ（Local Area Network）、ＦｌｅｘＲａｙ（登録商標）などの任意の規格に準拠したネットワークを用いることができる。各ユニットは、例えば、マイクロコンピュータ、記憶部、制御対象の装置を駆動する駆動回路、通信Ｉ／Ｆなどを含んで構成される。
【０１２８】
駆動系制御ユニット６１０は、車両の駆動系に関連する装置の動作を制御するものである。駆動系制御ユニット６１０には、車両状態検出部６１１が接続されている。車両状態検出部６１１は、車両の状態を検出するものであり、例えば、ジャイロセンサ、加速度センサ、アクセルペダルやブレーキペダルの操作量や操舵角などを検出するセンサなどを含んで構成されるものである。駆動系制御ユニット６１０は、車両状態検出部６１１により検出された情報に基づいて、車両の駆動系に関連する装置の動作を制御するようになっている。この駆動系制御ユニット６１０と車両状態検出部６１１との間の通信システムには、例えば、上記実施の形態等の通信システムが適用される。
【０１２９】
ボディ系制御ユニット６２０は、キーレスエントリシステム、パワーウィンドウ装置、各種ランプなど、車両に装備された各種装置の動作を制御するものである。
【０１３０】
バッテリ制御ユニット６３０は、バッテリ６３１を制御するものである。バッテリ制御ユニット６３０には、バッテリ６３１が接続されている。バッテリ６３１は、駆動用モータへ電力を供給するものであり、例えば２次電池、冷却装置などを含んで構成されるものである。バッテリ制御ユニット６３０は、バッテリ６３１から、温度、出力電圧、バッテリ残量などの情報を取得し、これらの情報に基づいて、バッテリ６３１の冷却装置などを制御するようになっている。このバッテリ制御ユニット６３０とバッテリ６３１との間の通信システムには、例えば、上記実施の形態等の通信システムが適用される。
【０１３１】
車外情報検出ユニット６４０は、車両の外部の情報を検出するものである。車外情報検出ユニット６４０には、撮像部６４１および車外情報検出部６４２が接続されている。撮像部６４１は、車外の画像を撮像するものであり、例えば、ＴｏＦ（Time Of Flight）カメラ、ステレオカメラ、単眼カメラ、赤外線カメラなどを含んで構成されるものである。車外情報検出部６４２は、車外の情報を検出するものであり、例えば、天候や気象を検出するセンサや、車両の周囲の他の車両、障害物、歩行者などを検出するセンサなどを含んで構成されるものである。車外情報検出ユニット６４０は、撮像部６４１により得られた画像や、車外情報検出部６４２により検出された情報に基づいて、例えば、天候や気象、路面状況などを認識し、車両の周囲の他の車両、障害物、歩行者、標識や路面上の文字などの物体検出を行い、あるいはそれらと車両との間の距離を検出するようになっている。この車外情報検出ユニット６４０と、撮像部６４１および車外情報検出部６４２との間の通信システムには、例えば、上記実施の形態等の通信システムが適用される。
【０１３２】
車内情報検出ユニット６５０は、車両の内部の情報を検出するものである。車内情報検出ユニット６５０には、運転者状態検出部６５１が接続されている。運転者状態検出部６５１は、運転者の状態を検出するものであり、例えば、カメラ、生体センサ、マイクなどを含んで構成されるものである。車内情報検出ユニット６５０は、運転者状態検出部６５１により検出された情報に基づいて、例えば、運転者の疲労度合、運転者の集中度合い、運転者が居眠りをしていないかどうかなどを監視するようになっている。この車内情報検出ユニット６５０と運転者状態検出部６５１との間の通信システムには、例えば、上記実施の形態等の通信システムが適用される。
【０１３３】
統合制御ユニット６６０は、車両制御システム６００の動作を制御するものである。統合制御ユニット６６０には、操作部６６１、表示部６６２、およびインストルメントパネル６６３が接続されている。操作部６６１は、搭乗者が操作するものであり、例えば、タッチパネル、各種ボタンやスイッチなどを含んで構成されるものである。表示部６６２は、画像を表示するものであり、例えば液晶表示パネルなどを用いて構成されるものである。インストルメントパネル６６３は、車両の状態を表示するものであり、スピードメータなどのメータ類や各種警告ランプなどを含んで構成されるものである。この統合制御ユニット６６０と、操作部６６１、表示部６６２、およびインストルメントパネル６６３との間の通信システムには、例えば、上記実施の形態等の通信システムが適用される。
【０１３４】
以上、いくつかの実施の形態および変形例、ならびに電子機器への適用例を挙げて本技術を説明したが、本技術はこれらの実施の形態等には限定されず、種々の変形が可能である。
【０１３５】
例えば、上記の各実施の形態等では、例えば、送信装置１０，５０が動作モードＭＡ２で動作する場合において、２４個のトランジスタ９２のうちの１０個、および２４個のトランジスタ９４のうちの１０個をオン状態にすることにより中レベル電圧ＶＭを生成したが、これに限定されるものではない。これに代えて、例えば、２４個のトランジスタ９２および２４個のトランジスタ９４をオフ状態にしてもよい。この場合には、受信部３３において、抵抗素子３５Ａ〜３５Ｂにより、高レベル電圧ＶＨと低レベル電圧ＶＬに基づいて中レベル電圧ＶＭが生成される。
【０１３６】
なお、本明細書に記載された効果はあくまで例示であって限定されるものでは無く、また他の効果があってもよい。
【０１３７】
なお、本技術は以下のような構成とすることができる。
【０１３８】
（１）複数の動作モードのうちの１つを選択する制御部と、
前記制御部により選択された動作モードに応じて負荷容量を設定する第１の容量設定部を有し、複数の信号フォーマットのうちの、前記選択された動作モードに応じた信号フォーマットを有する第１の信号を第１の出力端子に出力可能に構成された第１の送信部と
を備えた送信装置。
（２）前記複数の信号フォーマットは、第１の信号フォーマットおよび第２の信号フォーマットを含み、
前記第１の信号フォーマットは、第１の電圧、第２の電圧、および前記第１の電圧と前記第２の電圧との間の第３の電圧の間で遷移するものであり、
前記第２の信号フォーマットは、第４の電圧および第５の電圧の間で遷移するものである
前記（１）に記載の送信装置。
（３）前記第１の容量設定部は、前記第１の信号が前記第２の信号フォーマットを有する場合における容量値を、前記第１の信号が前記第１の信号フォーマットを有する場合における容量値よりも大きい値に設定する
前記（２）に記載の送信装置。
（４）前記選択された動作モードに応じて負荷容量を設定する第２の容量設定部を有し、前記複数の信号フォーマットのうちの、前記選択された動作モードに応じた信号フォーマットを有する第２の信号を第２の出力端子に出力可能に構成された第２の送信部と、
前記選択された動作モードに応じて負荷容量を設定する第３の容量設定部を有し、前記複数の信号フォーマットのうちの、前記選択された動作モードに応じた信号フォーマットを有する第３の信号を第３の出力端子に出力可能に構成された第３の送信部と
をさらに備えた
前記（２）または（３）に記載の送信装置。
（５）前記複数の動作モードは、第１の動作モードおよび第２の動作モードを含み、
前記選択された動作モードが前記第１の動作モードである場合には、前記第１の信号、前記第２の信号、および前記第３の信号は、前記第１の信号フォーマットを有し、
前記第１の出力端子、前記第２の出力端子、および前記第３の出力端子の電圧は、互いに異なる電圧である
前記（４）に記載の送信装置。
（６）前記選択された動作モードが前記第２の動作モードである場合には、前記第１の信号および前記第２の信号は、前記第２の信号フォーマットを有し、
前記第１の出力端子および前記第２の出力端子の電圧は、互いに異なる電圧である
前記（５）に記載の送信装置。
（７）前記第１の送信部は、互いに並列接続され、それぞれが、第１の電源から前記第１の出力端子への経路上に設けられた第１の抵抗素子および第１のトランジスタとを含む、複数の第１の回路とを有する
前記（１）から（６）のいずれかに記載の送信装置。
（８）前記複数の第１の回路のそれぞれは、前記第１のトランジスタのゲートに接続された第２の抵抗素子をさらに含む
前記（７）に記載の送信装置。
（９）前記第１の送信部は、互いに並列接続され、それぞれが、第２の電源から前記第１の出力端子への経路上に設けられた第３の抵抗素子および第２のトランジスタとを含む、複数の第２の回路をさらに有する
前記（７）または（８）に記載の送信装置。
（１０）第４の信号を前記第１の出力端子に出力する第４の送信部をさらに備え、
前記制御部は、さらに、前記第１の送信部が前記第１の信号を出力している期間以外の期間のうちの少なくとも一部の期間において、前記第４の送信部が前記第４の信号を出力するように制御する
前記（１）から（９）のいずれかに記載の送信装置。
（１１）前記第１の容量設定部は、前記第１の出力端子から第３の電源への経路上に配置された容量素子およびスイッチを有する
前記（１０）に記載の送信装置。
（１２）前記第１の容量設定部は、前記第４の送信部が前記第４の信号を出力している期間のうちの少なくとも一部の期間において、前記スイッチをオン状態にする
前記（１１）に記載の送信装置。
（１３）複数の動作モードのうちの１つを選択する制御部と、
複数の信号フォーマットのうちの、前記制御部により選択された動作モードに応じた信号フォーマットを有する第１の信号を第１の出力端子に出力可能に構成された第１の送信部と
を備え、
前記第１の送信部は、互いに並列接続され、それぞれが、第１の電源から前記第１の出力端子への経路上に設けられた第１の抵抗素子および第１のトランジスタと、前記第１のトランジスタのゲートに接続された第２の抵抗素子とを含む、複数の第１の回路を有する
送信装置。
（１４）送信装置と、
受信装置と
を備え、
前記送信装置は、
複数の動作モードのうちの１つを選択する制御部と、
前記制御部により選択された動作モードに応じて負荷容量を設定する第１の容量設定部を有し、複数の信号フォーマットのうちの、前記選択された動作モードに応じた信号フォーマットを有する第１の信号を第１の出力端子に出力可能に構成された第１の送信部と
を有する
通信システム。
【０１３９】
本出願は、日本国特許庁において２０１６年２月８日に出願された日本特許出願番号２０１６−０２２０１２号を基礎として優先権を主張するものであり、この出願のすべての内容を参照によって本出願に援用する。
【０１４０】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2017138303.tif 000003
【図１Ｂ】
2017138303.tif 000004
【図２】
2017138303.tif 000005
【図３】
2017138303.tif 000006
【図４】
2017138303.tif 000007
【図５】
2017138303.tif 000008
【図６】
2017138303.tif 000009
【図７】
2017138303.tif 000010
【図８】
2017138303.tif 000011
【図９】
2017138303.tif 000012
【図１０】
2017138303.tif 000013
【図１１】
2017138303.tif 000014
【図１２】
2017138303.tif 000015
【図１３】
2017138303.tif 000016
【図１４】
2017138303.tif 000017
【図１５】
2017138303.tif 000018
【図１６】
2017138303.tif 000019
【図１７】
2017138303.tif 000020
【図１８】
2017138303.tif 000021
【図１９】
2017138303.tif 000022
【国際調査報告】
2017138303.tif 000023
2017138303.tif 000024